(57)【要約】【課題】使用者の使い勝手を向上した操作端末を提供する。【解決手段】入力された設定値を被操作装置（例えば、ヒートポンプ給湯機１００）の制御装置１３０へ送信する操作端末１であって、表面に露出する主操作部１０と、開閉可能な操作端末フタ（被覆体）４によって被覆される副操作部２０と、を備え、主操作部１０および副操作部２０には、同一の操作結果をもたらす操作手段（例えば、決定スイッチ１１，２１）がそれぞれ設けられる。【選択図】図２
2012063099.tif 000002
【特許請求の範囲】
【請求項１】
入力された設定値を被操作装置の制御装置へ送信する操作端末であって、
表面に露出する第１操作部と、
開閉可能な被覆体によって被覆される第２操作部と、を備え、
前記第１操作部および前記第２操作部には、同一の操作結果をもたらす操作手段がそれぞれ設けられる
ことを特徴とする操作端末。
【請求項２】
前記第１操作部に設けられる同一の操作結果をもたらす操作手段は、
前記第２操作部に設けられる同一の操作結果をもたらす操作手段よりも、手前に配置される
ことを特徴とする請求項１に記載の操作端末。
【請求項３】
前記第１操作部に設けられる同一の操作結果をもたらす操作手段の表示は、
前記第２操作部に設けられる同一の操作結果をもたらす操作手段の表示よりも、大きく形成される
ことを特徴とする請求項１または請求項２に記載の操作端末。
【請求項４】
前記同一の操作結果をもたらす操作手段は、
入力された設定値を確定する設定値確定操作手段を有する
ことを特徴とする請求項１乃至請求項３のいずれか１項に記載の操作端末。
【請求項５】
前記同一の操作結果をもたらす操作手段は、
前の状態に戻す指示をする戻り操作手段を有する
ことを特徴とする請求項４に記載の操作端末。
【請求項６】
前記同一の操作結果をもたらす操作手段は、
設定値を選択する設定値選択操作手段を有する
ことを特徴とする請求項１乃至請求項５のいずれか１項に記載の操作端末。
【発明の詳細な説明】
【技術分野】
【０００１】
本発明は、操作端末に関するもので、特に液体加熱供給装置の制御装置と接続され、液体加熱供給装置における動作状況の表示や動作設定の入力を行う操作端末に関する。
【背景技術】
【０００２】
被加熱液体（例えば、飲用水道水や地下水）を加熱し、加熱された高温の被加熱液体を貯え、使用者の必要に応じて貯えた高温の被加熱液体を供給する液体加熱供給装置として、例えば、貯湯式ヒートポンプ給湯機が知られている。
給湯機（貯湯式ヒートポンプ給湯機）では、使用者が給湯機の動作設定を行ったり、給湯機の動作状況を確認したりするために、給湯機の制御装置と接続された操作端末が用いられるのが一般的である。
【０００３】
従来、操作端末は、給湯機の機能ごとに専用のスイッチを備え、対応するスイッチを操作することにより給湯機の動作設定を行っていた。しかし、近年給湯機の多機能化に伴い、給湯機を日常使用する使用者が用いるスイッチと、設備管理者やサービスマンが使用するスイッチについて、同じスイッチを用いることがあり、操作の煩雑化、誤作動、誤動作などの問題があった。このような問題を解決するために、機能ごとのスイッチを見直し、より汎用的な動作設定が可能な操作端末が登場してきている（たとえば特許文献１参照）。
【０００４】
特許文献１に記載の操作端末では、設定項目名等を表示する表示部と、動作設定に用いる汎用的なスイッチ群(メニュースイッチ・ダウンスイッチ・アップスイッチ・確定スイッチ)を備えている。具体的には、メニュースイッチが押下される毎に表示部に表示される設定項目名が切り替わる。また、ダウンスイッチ又はアップスイッチが押下されると表示されている設定項目についての設定値が増減する。そして、確定スイッチが押下されると設定値が確定する。
【先行技術文献】
【特許文献】
【０００５】
【特許文献１】特開２００４−３４７２８７号公報
【発明の概要】
【発明が解決しようとする課題】
【０００６】
しかし、特許文献１に記載された操作端末ではスイッチ数に限りがあるため、給湯機を日常使用する使用者が使用する操作部（スイッチ）と、設備管理者（サービスマン）が使用する操作部（スイッチ）とを分けることができない。このため、操作端末の操作性を向上させることができず、また、操作端末を誤操作するおそれがあるという問題があった。
【０００７】
そこで、本発明は、使用者や設備管理者の使い勝手を向上した操作端末を提供することを目的とする。
【課題を解決するための手段】
【０００８】
本発明は、このような課題を解決するために、請求項１に係る操作端末は、入力された設定値を被操作装置の制御装置へ送信する操作端末であって、表面に露出する第１操作部と、開閉可能な被覆体によって被覆される第２操作部と、を備え、前記第１操作部および前記第２操作部には、同一の操作結果をもたらす操作手段がそれぞれ設けられることを特徴とする。
【０００９】
また、請求項２に係る操作端末は、前記第１操作部に設けられる同一の操作結果をもたらす操作手段が、前記第２操作部に設けられる同一の操作結果をもたらす操作手段よりも、手前に配置されることを特徴とする。
【００１０】
また、請求項３に係る操作端末は、前記第１操作部に設けられる同一の操作結果をもたらす操作手段の表示が、前記第２操作部に設けられる同一の操作結果をもたらす操作手段の表示よりも、大きく形成されることを特徴とする。
【００１１】
また、請求項４に係る操作端末は、前記同一の操作結果をもたらす操作手段が、入力された設定値を確定する設定値確定操作手段を有することを特徴とする。
【００１２】
また、請求項５に係る操作端末は、前記同一の操作結果をもたらす操作手段が、前の状態に戻す指示をする戻り操作手段を有することを特徴とする。
【００１３】
また、請求項６に係る操作端末は、前記同一の操作結果をもたらす操作手段が、設定値を選択する設定値選択操作手段を有することを特徴とする。
【発明の効果】
【００１４】
本発明によれば、使用者や設備管理者の使い勝手を向上した操作端末を提供することができる。
【図面の簡単な説明】
【００１５】
【図１】本実施形態に係る操作端末を備えるヒートポンプ給湯機の構成模式図である。
【図２】本実施形態に係る操作端末の正面外観図である。
【図３】操作端末フタを閉じた状態における操作端末の正面外観図である。
【発明を実施するための形態】
【００１６】
以下、本発明を実施するための形態（以下「実施形態」という）について、適宜図面を参照しながら詳細に説明する。なお、各図において、共通する部分には同一の符号を付し重複した説明を省略する。
【００１７】
≪ヒートポンプ給湯機≫
図１は、本実施形態に係る操作端末を備えるヒートポンプ給湯機の構成模式図である。
ヒートポンプ給湯機（液体加熱供給装置）１００は、被加熱液体（例えば、飲用水道水）を加熱して貯え、使用者の要求に応じて、加熱された被加熱液体を供給するものである。
図１に示すように、ヒートポンプ給湯機１００は、ヒートポンプユニット１１０と、タンクユニット１２０と、制御装置１３０と、操作端末１とを備えている。また、ヒートポンプユニット１１０とタンクユニット１２０は、電送線１４１と、往復する被加熱液体配管１４２ａ，１４２ｂとで接続されている。
【００１８】
ヒートポンプユニット１１０は、室外に設置され、内部に、図示しない冷媒圧縮機と、冷媒・液熱交換器と、減圧弁と、空気・冷媒熱交換器とを備えて構成され、冷媒が循環するようにそれぞれ冷媒配管を介して順次環状に接続された冷媒回路を備えている。
また、ヒートポンプユニット１１０は、図示しない送液ポンプを備えている。
【００１９】
制御装置１３０が冷媒圧縮機を駆動することにより、高温高圧となった冷媒が、冷媒・液熱交換器の１次側伝熱管に送られ、２次側伝熱管を流れる被加熱液体と熱交換し、減圧弁により低温低圧となった冷媒が、空気・冷媒熱交換器により外気から熱を吸収する。その後、外気から熱を吸収した冷媒は、冷媒圧縮機に送られる。
また、制御装置１３０が送液ポンプを駆動することにより、タンクユニット１２０から被加熱液体配管１４２ａを介して被加熱液体が冷媒・液熱交換器の２次側伝熱管に流入し、高温の冷媒と熱交換する。高温となった被加熱液体は、被加熱液体配管１４２ｂを介してタンクユニット１２０に送られる。
【００２０】
タンクユニット１２０は、ヒートポンプユニット１１０で加熱された被加熱液体を貯えるための貯液タンク（図示せず）を備えている。
【００２１】
制御装置１３０は、使用者等が操作端末１を操作することにより、ヒートポンプユニット１１０を運転制御する。また、制御装置１３０は、電送線１４１を介して、タンクユニット１２０を制御する。
【００２２】
≪操作端末の構成≫
次に、本実施形態に係る操作端末１について、図２および図３を用いて更に説明する。図２は、本実施形態に係る操作端末の正面外観図である。
操作端末１は、略矩形の筐体２の前面上左側に配置された表示部３と、前面上側に配置された主操作部１０と、前面下側に配置された副操作部２０と、副操作部２０を覆う操作端末フタ４とを備えている。
【００２３】
表示部３は、ヒートポンプ給湯機１００の動作設定や動作状況を表示したり、操作端末１の操作状況を表示するものであり、液晶ディスプレイ、有機ＥＬ(Electro Luminescence)ディスプレイ、蛍光表示管などで構成される。
【００２４】
図３は、操作端末フタを閉じた状態における操作端末の正面外観図である。
操作端末フタ４は、開閉可能に設けられた蓋体である。図２に示すように、操作端末フタ４を開いた状態とすることにより、副操作部２０が操作可能に露出される。また、図３に示すように、操作端末フタ４を閉じた状態とすることにより、副操作部２０を被覆することができる。
【００２５】
図２に戻り、主操作部１０および副操作部２０について説明する。
主操作部１０は、ヒートポンプ給湯機１００を日常の使用する際に使用者が操作する操作部であり、決定スイッチ１１と、戻るスイッチ１２と、アップスイッチ１３と、ダウンスイッチ１４と、その他のスイッチ１５ａ，１５ｂ，１５ｃと、を有している。
副操作部２０は、ヒートポンプ給湯機１００の詳細な動作設定や詳細な動作状況を確認する際に設備管理者やサービスマンが操作する操作部であり、決定スイッチ２１と、戻るスイッチ２２と、アップスイッチ２３と、ダウンスイッチ２４と、レフトスイッチ２５と、ライトスイッチ２６と、その他のスイッチ２７ａ，２７ｂ，２７ｃ，２７ｄ，２７ｅとを有している。
【００２６】
決定スイッチ１１，２１は、設定項目の確定や、設定値の確定を指示するスイッチである。
戻るスイッチ１２，２２は、設定項目の状態を一つ前の状態に戻すスイッチである。
アップスイッチ１３，２３、ダウンスイッチ１４，２４、レフトスイッチ２５、ライトスイッチ２６は、設定項目の移動指示や、設定値の変更指示を入力するためのスイッチである。
スイッチ１５およびスイッチ２７は、各種のヒートポンプ給湯機１００の機能や設定項目が割り当てられたスイッチである。
【００２７】
主操作部１０の決定スイッチ１１、戻るスイッチ１２、アップスイッチ１３およびダウンスイッチ１４は、表示部３の右横に縦に並んで配置されている。なお、主操作部１０は、操作端末フタ４を開いた状態（図２参照）においても、操作端末フタ４を閉じた状態（図３参照）においても表面に露出している。
【００２８】
副操作部２０の決定スイッチ２１および戻るスイッチ２２は、表示部３の下側に縦に並んで配置されている。また、アップスイッチ２３およびダウンスイッチ２４は、表示部３の下側に縦に並んで配置され、その略中心から横方向にレフトスイッチ２５およびライトスイッチ２６が配置されることにより、４つのスイッチ（２３〜２６）が略十字形状に配置されている。これら４つのスイッチ（２３〜２６）により、副操作部２０を用いて操作する際、より好適に選択操作が可能となる。なお、副操作部２０は、操作端末フタ４を開いた状態（図２参照）において、操作可能に露出している。また、ヒートポンプ給湯機１００の日常の使用時には、操作端末フタ４を閉じた状態（図３参照）となり、副操作部２０は操作端末フタ４により隠れている。
【００２９】
≪操作端末の動作・作用≫
操作端末１の動作および作用について、適宜図１から図３を参照しつつ説明する。
【００３０】
操作端末１の正面上半分には、表面に露出して、主操作部１０が設けられている。主操作部１０には、使用者が日常使用するヒートポンプ給湯機１００の機能を実行させるために必要なスイッチが設けられている。
【００３１】
使用者が、操作端末１を操作する際には、表示部３に表示される設定項目の移動指示や、設定値の変更指示を、主操作部１０のアップスイッチ１３およびダウンスイッチ１４を用いて選択する。そして、設定項目や設定値を確定させる際には、決定スイッチ１１を入力し選択した設定項目や設定値を確定する。また、設定項目の状態を前の状態に戻す必要がある場合には戻るスイッチ１２を入力することにより、表示部３に表示される設定項目を戻すことができる。
このように、使用者は日常のヒートポンプ給湯機１００の使用時において、簡単な操作で必要なヒートポンプ給湯機１００の機能を操作することができる。
【００３２】
操作端末１の正面下半分は、副操作部２０が設けられている。副操作部２０には、設備管理者が操作端末１を用いてヒートポンプ給湯機１００の動作設定を行うときや、故障・修理時にサービスマンが使用するのに必要な操作スイッチが設けられている。
【００３３】
設備管理者やサービスマンが、操作端末１を操作する際には、表示部３に表示される設定項目の移動指示や、設定値の変更指示を、副操作部２０のアップスイッチ２３およびダウンスイッチ２４を用いて選択する。そして、設定項目や設定値を確定させる際には、決定スイッチ２１を入力し選択した設定項目や設定値を確定する。また、設定項目の状態を前の状態に戻す必要がある場合には戻るスイッチ２２を入力することにより、表示部３に表示される設定項目を戻すことができる。
このように、設備管理者やサービスマンは、副操作部２０を用いて簡単な操作で必要なヒートポンプ給湯機１００の機能を操作することができる。
【００３４】
なお、主操作部１０および副操作部２０は、同一の操作結果をもたらす操作手段として、決定スイッチ１１および決定スイッチ２１を有しており、主操作部１０に係る操作時（使用者がヒートポンプ給湯機１００を日常使用するとき）および副操作部２０に係る操作時（設備管理者が動作設定を行うときや、故障・修理時にサービスマンが操作するとき）においても同じ効果をもたらす。即ち、主操作部１０に係る設定項目における操作決定を、決定スイッチ１１だけでなく、決定スイッチ２１でも行うことができ、また、副操作部２０に係る設定項目における操作決定を、決定スイッチ２１だけでなく、決定スイッチ１１でも行うことができる。
同様に、主操作部１０および副操作部２０は、同一の操作結果をもたらす操作手段（戻るスイッチ１２，２２、アップスイッチ１３，２３、ダウンスイッチ１４，２４）を有しており、主操作部１０に係る操作時および副操作部２０に係る操作時においても同じ効果をもたらす。
【００３５】
また、主操作部１０の決定スイッチ１１、戻るスイッチ１２、アップスイッチ１３およびダウンスイッチ１４は、ヒートポンプ給湯機１００を日常使用する使用者が使い易い、表示部３の右側に大きな表示で配置され、副操作部２０の決定スイッチ２１、戻るスイッチ２２、アップスイッチ２３およびダウンスイッチ２４は、日常使用する必要がないため操作端末１の下側に小さな表示で配置され、さらに日常使用する使用者が間違って操作しないように、副操作部２０の全体を操作端末フタ４で覆い、誤使用を防止する構造としている。
これにより、日常使用する使用者は、表示部３の表示を見ながら主操作部１０を簡単に操作でき、日常使用しない副操作部２０は、図３に示すように、操作端末フタ４で隠れているため誤使用を防止できる。
【００３６】
また、設備管理者やサービスマンは、操作端末フタ４を開いた状態（図２参照）とすることにより操作端末１を用いてヒートポンプ給湯機１００の機能を操作することができる。
このように、操作端末１に日常使用する主操作部１０と、動作設定やサービス時に使用する副操作部２０とを分けて配置し、各々に操作手段(決定スイッチ、戻るスイッチ、アップスイッチ、ダウンスイッチ)を配置することにより、日常時、設備管理時の操作を分けることができ、任意の設定値への変更を容易に行うことができる。
【００３７】
なお、主操作部１０は、副操作部２０よりも手前側に配置されていることが好適である。このように配置することにより、操作端末フタ４が開放され、副操作部２０が露出している状態であっても、使用者は操作すべき主操作部１０がどちらであるかを容易に判断することができる。
【００３８】
≪その他≫
なお、本実施形態に係る操作端末１は、上記実施形態の構成に限定されるものではなく、発明の趣旨を逸脱しない範囲内で種々の変更が可能である。
例えば、上記実施形態の構成においては、操作端末１が設定を指示する被操作装置はヒートポンプ給湯機１００であるものとして説明したが、これに限られるものではない。例えば、ヒータによりタンク内の被加熱液体を加熱する給湯機であってもよい。また、ヒートポンプユニット１１０で加熱した被加熱液体をタンクユニット１２０のタンクに貯め、給湯端末に供給するものとして説明したが、これに限られるものではなく、ヒートポンプユニット１１０で加熱した被加熱液体を直接給湯端末に供給する構成としてもよい。
【００３９】
また、上記実施形態の構成においては、同一の操作結果をもたらす操作手段として、決定スイッチ１１，２１、戻るスイッチ１２，２２、アップスイッチ１３，２３、ダウンスイッチ１４，２４を備えるものとして説明したが、これに限られるものではなく、他のスイッチを備えていてもよく、また、決定スイッチ１１，２１のみを備えていてもよい。
スイッチの削減、操作の簡単化を図ることができる。
【００４０】
また、設定項目や設定値を選択する設定値選択操作手段は、アップスイッチ・ダウンスイッチの組であるとして説明したが、例えば、プラススイッチ・マイナススイッチの組や、ライトスイッチ・レフトスイッチの組であってもよい。
【００４１】
また、本実施形態では、主操作部１０の決定スイッチ１１と副操作部２０の決定スイッチ２１とは、同一の作用・効果を示すものとして説明した。即ち、主操作部１０に係る設定項目における操作決定を、決定スイッチ１１だけでなく、決定スイッチ２１でも行えるものとし、また、副操作部２０に係る設定項目における操作決定を、決定スイッチ２１だけでなく、決定スイッチ１１でも行えるものとして説明した。
これに対して、副操作部２０に係る設定項目における操作決定は、決定スイッチ２１でのみ行い、決定スイッチ１１では行えないようにしてもよい。これにより、使用者が意図せず副操作部２０に係る設定項目を開いてしまった場合、主操作部１０の決定スイッチ１１では、設定値を決定することができず（即ち、設定値の変更を確定させることができず）、使用者の操作ミスにより、意図しない副操作部２０に係る設定値の変更を防止することができる。
なお、戻るスイッチ１２，２２は、主操作部１０および副操作部２０のどちらの設定項目に係る操作であっても機能するようにすることが好適である。これにより、使用者は、意図しない副操作部２０に係る設定項目画面が表示された場合には、戻るボタン１２または戻るボタン２２を押下することにより、初期画面に戻ることができ、使用者が意図する操作項目への操作を容易にやり直すことができる。
【符号の説明】
【００４２】
１          操作端末
２          筐体
３          表示部
４          操作端末フタ（被覆体）
１０        主操作部（第１操作部）
２０        副操作部（第２操作部）
１１，２１  決定スイッチ（同一の操作結果をもたらす操作手段、設定値確定操作手段）
１２，２２  戻るスイッチ（同一の操作結果をもたらす操作手段、戻り操作手段）
１３，２３  アップスイッチ（同一の操作結果をもたらす操作手段、設定値選択操作手段）
１４，２４  ダウンスイッチ（同一の操作結果をもたらす操作手段、設定値選択操作手段）
１００      ヒートポンプ給湯機
１１０      ヒートポンプユニット（液体加熱供給装置、被操作装置）
１２０      タンクユニット
１３０      制御装置
１４１      電送線
１４２ａ    被加熱液体配管
１４２ｂ    被加熱液体配管
【図１】
2012063099.tif 000003
【図２】
2012063099.tif 000004
【図３】
2012063099.tif 000005